(57)【要約】【課題】  容易に製造及び取り付けが可能であるとともに、骨格構造部材の内部空間の完全利用を可能にする家具用取り付け具を備えた戸棚を提供する。【解決手段】  本発明の構造部材（１）は、例えば戸棚又は整理箪笥等の骨格をなす構造部材（１）であって、開閉可能な扉（２）を備えているとともに、取り付け板（４、３９）と、上記扉（２）に直接的又は間接的に端部が接続されている支持アーム（６、２５）とを有する取り付け具を備えており、上記取り付け板（４、３９）は、上記骨格構造部材（１）の壁部の外側に取り付けられており、上記支持アーム（６、２５）は、上記取り付け板（４、３９）に旋回可能に配設されている。【選択図】    図１
2004346732.tif 000002
【特許請求の範囲】
【請求項１】
家具の骨格となる構造部材（１）であって、
開閉可能な扉（２）を備えているとともに、
上記扉（２）に端部が取り付けられた支持アーム（６、２５）と、該支持アーム（６、２５）を上記骨格構造部材（１）に取り付ける取り付け板（４、３９）と、を有する取り付け具を備えており、
上記取り付け板（４、３９）は、上記骨格構造部材（１）の壁部の外側に取り付けられており、
上記支持アーム（６、２５）は、上記取り付け板（４、３９）に旋回可能に配設されていることを特徴とする骨格構造部材（１）。
【請求項２】
上記壁部が天板（３）であることを特徴とする請求項１に記載の骨格構造部材（１）。
【請求項３】
上記扉（２）の内側には、断面がＬ字状のレール（１１）が配設されており、
上記扉（２）の内面に沿ってほぼ平行に延びる上記レール（１１）の一方の側には、上記支持アーム（６）の端部が取り付けられ、
上記レール（１１）の他方の側は、上記扉（２）が閉じられるときに、上記壁部上に配置された減衰部材（１２）と協働して、該扉（２）の動きを減衰させるように構成されていることを特徴とする請求項１又は２の何れかに記載の骨格構造部材（１）。
【請求項４】
上記支持アーム（２５）の上記扉（２）に面する端部（３０）がほぼ直角に折り曲げられ、この端部（３０）において上記扉（２）に取り付けられていることを特徴とする請求項１又は２の何れかに記載の骨格構造部材（１）。
【請求項５】
上記扉（２）は、閉鎖状態にあるときに、隣接する上記骨格構造部材（１）の壁部を越えて突出する部位を有し、この部位に上記支持アーム（６、２５）の端部が取り付けられていることを特徴とする請求項１乃至請求項４の何れか１つに記載の骨格構造部材（１）。
【請求項６】
上記支持アーム（６、２５）の旋回の中心となる軸（５、３４）は、上記骨格構造部材（１）の前部から離れた上記壁部の後部に配設されていることを特徴とする請求項１乃至請求項５の何れか１つに記載の骨格構造部材（１）。
【請求項７】
上記扉（２）が開放状態にあるときに、該扉（２）に閉鎖方向と反対向きの力を加える支持装置が更に設けられていることを特徴とする請求項１乃至請求項６の何れか１つに記載の骨格構造部材（１）。
【請求項８】
上記支持装置がピストン・シリンダユニットにより構成されていることを特徴とする請求項７に記載の骨格構造部材（１）。
【請求項９】
上記支持装置は、上記壁部の外側に取り付けられた取り付け板（４、２４）と上記支持アーム（６、２５）とにそれぞれ回動可能に接続されていることを特徴とする請求項７又は請求項８の何れかに記載の骨格構造部材（１）。
【請求項１０】
上記支持アーム（６、２５）が２つ設けられていることを特徴とする請求項１乃至請求項９の何れかに１つ記載の骨格構造部材（１）。
【請求項１１】
上記２つの支持アーム（６、２５）は、少なくとも一方の端部において補強材（１１、１５、３１、３３）により互いに接続されて、枠体を構成していることを特徴とする請求項１０に記載の骨格構造部材（１）。
【請求項１２】
上記扉（２）に近接する補強材が、請求項３に記載のＬ字状レール（１１）により構成されていることを特徴とする請求項１１に記載の骨格構造部材（１）。
【請求項１３】
上記扉（２）に近接する補強材は、平面視でほぼコ字形状を有するとともに上記支持アーム（２５）に接続されているレール（３１）により構成されていることを特徴とする請求項１１に記載の骨格構造部材（１）。
【請求項１４】
上記骨格構造部材（１）の壁部には減衰部材（１３）が設けられており、
上記減衰部材（１３）は、少なくとも上記扉（２）が閉じられるときに、上記支持アーム（６）に設けられた突起部（１４）と協働して、該扉（２）の動きを減衰させるように構成されていることを特徴とする請求項１乃至請求項１３の何れか１つに記載の骨格構造部材（１）。
【発明の詳細な説明】
【技術分野】
【０００１】
本発明は、家具の骨格構造部材に関し、特に、開閉可能な扉を備えた、戸棚又は整理箪笥等の骨格構造部材に関するものである。
【背景技術】
【０００２】
従来より、例えば特許文献１、２に開示されるように、水平方向の軸を中心に旋回可能に支持された開閉可能な扉を備えている戸棚が知られている。これらの扉は、はね上げられて開放位置に移動するときに戸棚の内部空間に干渉しないか、或いは、ほんの僅かだけ干渉しながら移動して、そうして開放された状態では戸棚の開口部分がほぼ完全に露出するようになっている。尚、本願明細書中において「扉」とは、例えば水平方向、垂直方向に延びる軸等を中心に旋回可能に支持されるあらゆる開閉部材を指す。
【特許文献１】ドイツ実用新案第７６３８６８２号
【特許文献２】ドイツ実用新案第７８１１０１１号
【発明の開示】
【発明が解決しようとする課題】
【０００３】
しかしながら、上述のような従来の戸棚においては、扉の取り付け具の取り付け板は、家具の側壁の内側に固定されているため、骨格構造部材によって規定される戸棚の内部空間が取り付け具によって、即ち、取り付け板及びその上のレバー機構によって制限されてしまうという問題が生じていた。
【０００４】
また、従来の家具の取り付け具は、その戸棚の内側の構成に起因して、比較的複雑な構造を有しているとともに、その取り付けが比較的拙劣になってしまう恐れがあるという問題もある。
【０００５】
本発明は、斯かる点に鑑みてなされたものであり、その目的は、骨格構造部材を開閉可能な扉を備えた戸棚であって、容易に製造及び取り付けが行えるとともに、骨格構造部材の内部空間の完全利用を可能にする家具用取り付け具を備えた戸棚を提供することにある。
【課題を解決するための手段】
【０００６】
上記目的を達成するため、本発明の骨格構造部材は、特に戸棚、整理箪笥又は引き出し等の家具の骨格構造部材であって、該骨格構造部材を開閉可能な扉を備えている。本発明の骨格構造部材には、取り付け板と、上記扉に直接的又は間接的に端部が接続されている支持アームとを有する取り付け具が更に設けられている。上記取り付け板は、上記骨格構造部材の壁部の外側に取り付けられており、上記支持アームは、上記取り付け板に旋回可能に配設されている。
【０００７】
本発明によれば、上記骨格構造部材の内側に扉を取り付けるための部品が存在しないから、該骨格構造部材の内部空間を完全に利用することができる。上記扉の移動の範囲は、該扉に端部が接続されているとともに、上記骨格構造部材の壁部の外側に取り付けられた上記取り付け板に旋回可能に接続されている上記支持アームによって、定められる。
【０００８】
上記壁部は、上記骨格構造部材の天板で構成することが可能である。この場合、上記扉の開放及び閉鎖移動時に、ほぼ水平に及び上記天板と平行に延びる軸を中心に旋回する上記支持アームによって、上記扉は上下方向に旋回可能となる。
【０００９】
上記扉に上記支持アームの端部を取り付けるときには、該扉に対して支持アームが旋回しないようにすることが好ましい。このように扉に支持アームを固定すれば、扉は、取り付け板に支持アームをヒンジで接続することにより構成される軸を中心として、旋回運動をする。
【００１０】
本発明の好適な実施形態において、上記扉の内側には、断面がＬ字状のレールを設ける。その扉の内面に沿ってほぼ平行に延びる上記レールの一方の側には、上記支持アームの端部を取り付け、上記レールの他方の側は、上記扉が閉じられるときに、上記壁部上に配置された減衰部材と協働するように構成する。
【００１１】
上記支持アームは、上記扉に面する端部をほぼ直角に折り曲げて、この端部において扉に直接的に接続することが可能であり、該扉にネジ留めすることが好ましい。
【００１２】
本発明の好適な実施形態において、上記扉は、閉鎖状態にあるときに、隣接する上記骨格構造部材の壁部を越えて突出する部位を有し、この部位に上記支持アームの端部が取り付けられている。本発明に係る取り付け具が家具の天板の上側に配置されている場合、上記扉は、上記天板の上側に突出し、この突出部分の後側において本発明に係る取り付け具又はその支持アームに接続されるように構成することができる。
【００１３】
本発明の更なる実施形態において、上記支持アームの旋回を可能にする軸は、上記骨格構造部材の前部から離れた上記壁部の後部に配設されている。従って、好ましくは互いに固定接続されている上記支持アーム及び上記扉は、一体的に、上記天板の例えば後部に位置する上記旋回軸の周りに回転移動する。こうして、上記扉を、上記骨格構造部材の内部空間と全く干渉しないようにして移動させることができる。そして、上記扉が開放状態にあるとき、上記骨格構造部材の内部領域は、上記扉自体又は取り付け用部品によって制限されることが無い。
【００１４】
本発明の別の態様において、上記骨格構造部材には、上記扉が開放状態にあるとき、この扉が閉じようとする力と反対向きの力を作用させる支持装置が更に設けられている。この支持装置は、例えば、ガススプリングやモーターにより駆動可能な伸縮式シリンダ等のピストン・シリンダユニットによって構成することができる。また、例えば電動駆動されるラック等、その他の所望の支持要素を用いることも可能である。
【００１５】
上記支持装置は、上記骨格構造部材の壁部の外側に取り付けられた取り付け板と上記支持アームとにそれぞれ回動可能に接続することができる。上記取り付け板は、上記支持アームが旋回可能に支持されている取り付け板でもよい。勿論、上記支持装置を異なる取り付け板にヒンジで取り付けることも同様に可能である。
【００１６】
本発明の好適な態様において、上記支持アームは２つ設けられる。これらの支持アームはフレーム（枠体）を構成する部品として設けることが可能であり、一方の端部又は両端部において、補強材により互いに接続することができる。この場合、全体的に良好な強度が得られるように、上記扉は、上記フレームの部品である２つの支持アームで支持される。上記フレームを構成する部材（とりわけ補強材）は、それらに適合する接続部材によって互いに接続することの可能な押出し成形部品で構成することができる。勿論、幅又は高さが非常に大きい扉の場合に特に必要とされるように、３つ以上の支持アームを設けることも可能である。
【００１７】
さらに、上記押出し成形部品に形成した溝によって保持されるようにして補強板を設けることにより、上記フレームの強度を更に高めることもできる。
【００１８】
上記補強材のうち、上記扉に近接するものは、請求項３に記載のＬ字状レールにより構成することができる。また、上記扉に近接する補強材は、平面視でほぼコ字形状を有するとともに上記支持アームに接続されている（好ましくはネジ留めされている）レールにより構成することも可能である。
【００１９】
本発明の別の態様においては、上記骨格構造部材の壁部には減衰部材が設けられており、その減衰部材は、少なくとも上記扉が閉鎖位置に置かれるときに、上記支持アームに設けられた例えばタブ状の突起部と協働して、該扉（２）の動きを減衰させるように作用する。
【発明の効果】
【００２０】
以上、説明したように、本発明に係る骨格構造部材によると、その内側に扉を取り付けるための部品が存在せず、また、扉を、内部空間と全く干渉しないようにして移動させることができるから、該骨格構造部材の内部空間は、上記扉自体又は取り付け用部品によって制限されることなく、完全に利用することができる。
【発明を実施するための最良の形態】
【００２１】
以下、図面を参照しながら本発明の実施形態を詳細に説明する。
【００２２】
（実施形態１）
図１は、扉２により閉じられた状態の骨格構造部材１の側面図である。
【００２３】
図３に示すように、骨格構造部材１の天板３上には、２枚の取り付け板４が配置されている。図４は、取り付け板４の平面図である。図４に示すように、取り付け板４には複数の貫通孔が設けられており、これにより取り付け板４を骨格構造部材１の天板３に固定できるようになっている。
【００２４】
尚、本発明は、取り付け板を天板の外側に取り付ける構成に限定されるものではない。本発明に係る取り付け具は、例えば、骨格構造部材の側壁の外側に同様に配置することも可能である。その場合、扉は、ほぼ垂直な旋回軸を中心に移動可能に構成される。
【００２５】
更に、図１〜図３に示すように、取り付け板４には、ピンで形成されている旋回軸５を介して、支持アーム６が旋回可能に配設されている。各支持アーム６は、該支持アーム６にネジ留めされ、軸状部９を有する調整板１０を備えている。図１及び図３、そして、特に軸状部９を有する調整板１０の部分断面図である図８に示すように、軸状部９の端部には、ガススプリング８の旋回軸が設けられている。調整板１０は、ネジを受ける複数の穴を有しており、これらのネジにより調整板１０が支持アーム６に取り付けられている。
【００２６】
ガススプリング８は、支持アーム６と同様に、取り付け板４においてピンで形成されている軸７により旋回可能に支持されている。従って、支持アーム６は、旋回軸５により取り付け板４に旋回可能に接続されており、一方、ガススプリング８は、その一方の端部において、軸７により取り付け板４に旋回可能に接続されている。更に、ガススプリング８は、その他方の端部において、支持アーム６にネジ留めされている調整板１０の軸状部９に旋回可能に接続されている。
【００２７】
支持アーム６は、扉２に近接する端部においてＬ字状レール１１にネジ留めされている。図６に示す接続部材１７は、このネジ留めのために設けられている。接続部材１７は、ネジ穴２１を有しており、このネジ穴２１により接続部材１７の支持アーム６に対するネジ留めが可能になっている。接続部材１７は、２つの止まり穴を更に有しており、これらの止まり穴により、図１〜図３に示すようなＬ字状レール１１に対するネジ接続が行われている。従って、支持アーム６は、その一方の端部（即ち、扉２に面する、扉２に近接する端部）において、Ｌ字状レール１１ひいては扉２に固定的に、即ち、旋回不能に取り付けられている。Ｌ字状レール１１は、扉２にネジ留めされている。そして、支持アーム６の他方の端部（即ち、扉２から離れた端部）には、接続部材１６が挿入されており、接続部材１６は、接続部材１７と同様、ネジ穴２１により支持アーム６にネジ留めされている。図５に示すように、接続部材１６は止まり穴１８を有しており、この止まり穴１８は、取り付け板４において支持アーム６の旋回軸５を形成するピンを受け入れるようになっている。
【００２８】
図３に示すように、上述の取り付け具は、骨格構造部材１の天板３の上側に、互いに同様の構成のものが２つ設けられている。更に、図３に示すように、これら２つの支持アーム６は、扉２から離れた側において補強材１５により互いに連結されている一方、扉２に近接する側においてそれぞれＬ字状レール１１に接続されている。補強材１５及び支持アーム６は、図７に断面が示される押出し成形部品を有している。この押出し成形部品は、図７の左側に示される部位において、接続部材１６、１７を受け入れる凹部を有している。更に、図７に示すように、この押出し成形部品には、図３に示す補強板１９を受け入れる溝２０が設けられている。補強板１９は、支持アーム６を有するフレームの強度を向上させるために設けられている。
【００２９】
また、図１〜図３に示すように、支持アーム６にはタブ状突起部１４が設けられており、扉２が閉じられて閉鎖位置付近に位置するとき、タブ状突起部１４が骨格構造部材１の天板３上側の減衰部材１３と協働して、扉２の閉鎖移動を減衰する。更に、天板３の前部には別の減衰部材１２が設けられており、上記のように扉２が閉じられるときに、減衰部材１２は、水平方向に延びるＬ字状レール１１の脚部と協働するようになっている。
【００３０】
図１に示す閉鎖位置から図２に示す旋回位置へ扉２が開かれるとき、支持アーム６は、旋回軸５を中心に反時計回りに旋回する。同時に、ガススプリング８も移動するが、図２に示すように、ガススプリング８は僅かに時計回りに旋回する。ガススプリング８は、開放位置にある扉２を支持する。扉２が閉じられるとき、扉２は、ガススプリング８の付勢力に抗して、図１及び図２に示すように時計回りに旋回する。このとき、支持アーム６も旋回軸５を中心として同様に時計回りに旋回する一方、ガススプリング８は、軸７を中心として反時計回りに旋回する。扉２に対して支持アーム６を旋回不能に固定することより、扉２の動作が比較的単純なものとなり、比較的容易な取り付け具の設計が可能となる。扉２は、支持アーム６に対して固定接続されているため、取り付け板４において支持アーム６のヒンジを構成する旋回軸５を中心として、旋回運動をする。
【００３１】
（実施形態２）
図９は、本発明の実施形態２を示している。この実施形態において、取り付け具は、伸張可能なピストン・シリンダユニット２３を介してモーター２２によって移動させられる。例えば図９〜図１１に示すように、伸縮式シリンダ２３は、その一方の端部において、取り付け板２４に旋回可能に接続されている。また、伸縮式シリンダ２３は、その他方の端部において、図１３及び図１４に示されるレバー２６に旋回可能に接続されている。レバー２６は、オフセットして配置された座金２７を介して、図１２に詳細に示される支持アーム２５に対して回転可能に接続されている。レバー２６は、その長穴２８と支持アーム２５のネジ穴２９とによって該支持アーム２５に対してネジにより接続されて、該支持アーム２５に対するレバー２６の角度調整が可能になっており、このことで、天板３の両側に配置されたモーター２２に適合させて取り付けることができる。伸縮式シリンダ２３は、レバー２６を介し間接的に、支持アーム２５に対して旋回可能に接続されている。
【００３２】
支持アーム２５は、その一方の端部において、軸状部で形成されている軸３４に旋回可能に接続されている。この軸３４は、骨格構造部材１の天板３の後部に配置されている取り付け板３９（図１５及び図１１に示す）に設けられている。また、支持アーム２５は、その他方の端部において、直角に折り曲げられた折曲部３０を有しており、この折曲部３０において支持アーム２５が扉２にネジ留めされている。
【００３３】
本実施形態においても、上述の取り付け具は、骨格構造部材１の天板３上に２つ設けられている。これらの取り付け具は、平面視でほぼコ字状のヨーク３１と、バーとして構成されている補強材３３とを介して、互いに接続されている。コ字状レール（ヨーク）３１は、本装置を補強する機能を果たす。図１１に示すように、コ字状レール３１は、扉２の後部において支持されている。
【００３４】
図１３に示すように、レバー２６は、内周面の一部が切り欠かれた穴３２を有している。この穴３２の切り欠き部には、補強材３３を構成するバーの対応する突起部が係合されるようになっており、そのように形状が適合する結果として、バーは、レバー２６の穴３２に固定的に受け入れられて、レバー２６とともに回転可能となる。補強材３３を構成するバーは、構造全体を補強する役割を果たすだけでなく、扉２の両側を同時に回転させる機能を有する。
【００３５】
図１６は、伸縮式シリンダ２３の一方の端部がピンで旋回可能に支持されている取り付け板２４の平面図である。図１１に示すように、取り付け板２４も天板３の外側に取り付けられている。
【００３６】
本実施形態において、取り付け板２４、３９は、２種類の別個の板として構成されている。勿論、共通の１種類の取り付け板を用いることも可能である。
【００３７】
扉２を開けるに際し、モーター２２が作動されて、伸縮式シリンダ２３が伸張される。この際、レバー２６は、図９と図１０との比較から分かるように、図９に示す位置から反時計回りに旋回される。また、支持アーム２５及び支持アーム２５に固定的に接続されている扉２も、レバー２６が支持アーム２５に回転可能に接続されているため、反時計回りに旋回する。図１０に示すように、扉２は、開かれるときに骨格構造部材１の開口領域から離れることになり、これにより骨格構造部材１の内部空間には完全に手が届くようになる。扉２が開かれるとき、伸縮式シリンダ２３は、取り付け板２４に設けられた旋回軸を中心として時計回りに旋回運動をする。
【００３８】
開放位置にある扉２は、伸張された伸縮式シリンダ２３により支持される。一方、扉２が閉鎖される場合には、扉２が図９に示す閉鎖位置に戻るまで、前述のプロセスが反対方向に行われる。
【００３９】
各実施形態を示す図面から分かるように、全ての旋回軸は、取り付け板が配置された壁部と平行に延びている。各実施形態において、この壁部は、骨格構造部材の天板により構成されている。また、骨格構造部材のその他の何れかの壁部に、本発明に係る取り付け具を設けることも考えられる。
【００４０】
実施形態１、２はともに、扉が閉鎖位置にある場合、開放位置にある場合の両方において骨格構造部材の内部空間が完全に利用できるように、骨格構造部材の内側に取り付け用の部品が存在していないという利点を有している。更に、図面に示される各実施形態において、取り付け用の部品は全て天板の上側に設けられているため、比較的容易な取り付けが実現可能となる。また、各実施形態において示した扉に対して支持アームが固定的に接続されていることにより、扉は、取り付け板における支持アームの旋回軸を中心に旋回運動をする。製造が容易な取り付け具を比較的簡単に設計することにより、所望の扉の運動を実現することができる。
【図面の簡単な説明】
【００４１】
【図１】本発明の実施形態１に係る、扉が閉じられた状態の骨格構造部材の側面図。
【図２】図１に対応する、扉が開かれた状態の骨格構造部材の部分側面図。
【図３】図１に対応する骨格構造部材の上面図。
【図４】取り付け板の平面図。
【図５】支持アームを備えたフレームの接続部材の部分断面図。
【図６】支持アームをレールに接続する接続部材の部分断面図。
【図７】フレームを形成する押出し成形部品の断面図。
【図８】支持アームに設けられており、支持装置の旋回軸を有する軸状部を備えている調整板の部分断面図。
【図９】本発明の実施形態２に係る、扉が閉じられた状態の骨格構造部材の側面図。
【図１０】図９に対応する、扉が開けられた状態の骨格構造部材の部分側面図。
【図１１】図９に対応する骨格構造部材の部分平面図。
【図１２】実施形態２に係る骨格構造部材の支持アームの側面図。
【図１３】支持アームに回転可能に接続固定されているとともに、モーターの伸縮式シリンダに旋回可能に接続されているレバーの側面図。
【図１４】図１３に示すレバーの平面図。
【図１５】支持アームの旋回軸が設けられている取り付け板の平面図。
【図１６】電動駆動される伸縮式シリンダを旋回可能に固定するための取り付け板の平面図。
【符号の説明】
【００４２】
１    骨格構造部材
２    扉
３    天板
４    取り付け板
５    旋回軸
６    支持アーム
７    軸
８    ガススプリング（ピストン・シリンダユニット）
９    軸状部
１０  調整板
１１  Ｌ字状レール
１２  減衰部材
１３  減衰部材
１４  タブ状突起部
１５  補強材
１６  接続部材
１７  接続部材
１８  止まり穴
１９  補強板
２０  溝
２１  ネジ穴
２２  モーター
２３  伸縮式シリンダ（ピストン・シリンダユニット）
２４  取り付け板
２５  支持アーム
２６  レバー
２７  座金
２８  長穴
２９  ネジ穴
３０  折曲部（端部）
３１  ヨーク（コ字状レール）
３２  穴
３３  補強材
３４  軸
３９  取り付け板
【図１】
2004346732.tif 000003
【図２】
2004346732.tif 000004
【図３】
2004346732.tif 000005
【図４】
2004346732.tif 000006
【図５】
2004346732.tif 000007
【図６】
2004346732.tif 000008
【図７】
2004346732.tif 000009
【図８】
2004346732.tif 000010
【図９】
2004346732.tif 000011
【図１０】
2004346732.tif 000012
【図１１】
2004346732.tif 000013
【図１２】
2004346732.tif 000014
【図１３】
2004346732.tif 000015
【図１４】
2004346732.tif 000016
【図１５】
2004346732.tif 000017
【図１６】
2004346732.tif 000018